【手続補正書】
【提出日】平成18年4月4日(2006.4.4)
【手続補正１】
【補正対象書類名】明細書
【補正対象項目名】特許請求の範囲
【補正方法】変更
【補正の内容】
【特許請求の範囲】
【請求項１】
シートクッションの後部側面に固定される第１連結部材と、
シートバックの下部側面に固定されて前記第１連結部材に同軸的に相対回転可能に嵌合される第２連結部材と、
前記両連結部材の中心に相対回転可能に支持されたヒンジ軸と、
前記両連結部材の一方の連結部材の内面に前記ヒンジ軸の半径方向に形成した第１のガイド溝に摺動可能に案内されて他方の連結部材の内面に前記ヒンジ軸と同心的に形成した円形のラチェットに係脱されるスライドポールと、
前記一方の連結部材の内面に前記第１のガイド溝に直交して形成した第２のガイド溝に摺動可能に案内されて前記スライドポールの内端に係合し、前記ヒンジ軸の回転により前記第２のガイド溝に沿って摺動して前記スライドポールを前記ラチェットに係脱させる作動カムと、
前記スライドポールが前記ラチェットに係合した状態に保持されるように前記作動カムをバネ付勢する弾発手段とを備えたリクライニング装置。
【請求項２】
前記スライドポールの前記作動カム側の対向内端部に前記作動カムの移動方向に離間して設けた一対の突起部が前記作動カムの前記スライドポール側の対向端部に同作動カムの移動方向に離間して設けた一対の係合凹所に係合したとき、前記スライドポールが前記ラチェットから離脱し、前記スライドポールの突起部が前記スライドポールの対向端面に係合したとき前記スライドポールが前記ラチェットに係合するようにしたことを特徴とする請求項１に記載のリクライニング装置。
【請求項３】
前記スライドポールの前記作動カム側の対向内端部に前記作動カムの移動方向に離間して設けた一対の係合凹所が前記作動カムの前記スライドポール側の対向端部に同作動カムの移動方向に離間して設けた一対の突起部に係合したとき、前記スライドポールが前記ラチェットから離脱し、前記作動カムの突起部が前記前記スライドポールの対向端面に係合したとき前記スライドポールが前記ラチェットに係合するようにしたことを特徴とする請求項１に記載のリクライニング装置。
【請求項４】
前記両連結部材が円盤状連結部材であって、互いに相対回転可能に嵌合された状態にて前記シートクッションの後部側面と前記シートバックの下部側面に固定されるようにしたことを特徴とする請求項１に記載のリクライニング装置。
【請求項５】
前記両連結部材の内面に周方向にて互いに係合して同連結部材の相対回転を規制する規制手段を設けたことを特徴とする請求項１に記載のリクライニング装置。
【請求項６】
シートクッションの後部側面に固定される第１連結部材と、
シートバックの下部側面に固定されて前記第１連結部材に同軸的に相対回転可能に嵌合される第２連結部材と、
前記両連結部材の中心に相対回転可能に支持されたヒンジ軸と、
前記両連結部材の一方の連結部材の内面に前記ヒンジ軸の半径方向に形成した一対の第１のガイド溝に摺動可能に案内されて他方の連結部材の内面に前記ヒンジ軸と同心的に形成した円形のラチェットに係脱される一対のスライドポールと、
前記一方の連結部材の内面に前記第１のガイド溝に直交して形成した第２のガイド溝に摺動可能に案内されて前記両スライドポールの内端に係合し、前記ヒンジ軸の回転により前記第２のガイド溝に沿って摺動して前記両スライドポールを前記ラチェットに係脱させる作動カムと、
前記両スライドポールが前記ラチェットに係合した状態に保持されるように前記作動カムをバネ付勢する弾発手段とを備えたリクライニング装置。
【請求項７】
前記弾発手段を前記第１連結部材と前記作動カムの間に設けたことを特徴とする請求項１に記載のリクライニング装置。
【請求項８】
前記弾撥手段が、前記第１連結部材と前記作動カムの間にて前記ヒンジ軸を包囲して設けた螺旋状のトーションスプリングであることを特徴とする請求項１に記載のリクライニング装置。
【手続補正２】
【補正対象書類名】明細書
【補正対象項目名】０００８
【補正方法】変更
【補正の内容】
【０００８】
【課題を解決するための手段】
本発明は、上記の目的を達成するため、シートクッションの後部側面に固定される第１連結部材と、シートバックの下部側面に固定されて前記第１連結部材に同軸的に相対回転可能に嵌合される第２連結部材と、前記両連結部材の中心に相対回転可能に支持されたヒンジ軸と、前記両連結部材の一方の連結部材の内面に前記ヒンジ軸の半径方向に形成した第１のガイド溝に摺動可能に案内されて他方の連結部材の内面に前記ヒンジ軸と同心的に形成した円形のラチェットに係脱されるスライドポールと、前記一方の連結部材の内面に前記第１のガイド溝に直交して形成した第２のガイド溝に摺動可能に案内されて前記スライドポールの内端に係合し、前記ヒンジ軸の回転により前記第２のガイド溝に沿って摺動して前記スライドポールを前記ラチェットに係脱させる作動カムと、前記スライドポールが前記ラチェットに係合した状態に保持されるように前記作動カムをバネ付勢する弾発手段とを備えたリクライニング装置を提供するものである。
【手続補正３】
【補正対象書類名】明細書
【補正対象項目名】０００９
【補正方法】変更
【補正の内容】
【０００９】
上記のように構成したリクライニング装置においては、
前記一方の連結部材の内面に形成した第１のガイド溝に摺動可能に案内されたスライドポールが、同連結部材の内面に前記第１のガイド溝に直交して形成した第２のガイド溝に摺動可能に案内された作動カムとの係合により他方の連結部材の内面にヒンジ軸と同心的に形成した円形のラチェットに係脱され、前記作動カムをバネ付勢する弾発手段によって前記スライドポールが前記ラチェットに係合した状態に的確に保持される。これにより、前記スライドポールとラチェットの係合状態が強化され、負荷の作用下でのスライドポールの回動が確実に防止される。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
本発明の実施にあたっては、上記のように構成したリクライニング装置において、
前記スライドポールの前記作動カム側の対向内端部に前記作動カムの移動方向に離間して設けた一対の突起部が前記作動カムの前記スライドポール側の対向端部に同作動カムの移動方向に離間して設けた一対の係合凹所に係合したとき、前記スライドポールが前記ラチェットから離脱し、前記スライドポールの突起部が前記スライドポールの対向端面に係合したとき前記スライドポールが前記ラチェットに係合するように構成するのが望ましい。  この実施形態において、作動カムはその非作動時に前記弾発手段のバネ付勢力によりスライドポールの直交方向の一方側に位置していて、スライドポールの両突起部を作動カムの対向端部における嵌合凹所より高い平坦部に位置させている。この状態にて、作動カムはスライドポールを押圧してラチェットに噛合させるとともに、スライドポールに対する押圧状態を保持してスライドポールとラチェットとの噛合状態を保持する。この噛合状態が保持されている間は、両連結部材の相対回転は規制されてシートバックをシートクッションに対してロック状態としており、シートバックの前後方向の回動を規制する。
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】変更
【補正の内容】
【００２１】
上記の噛合状態にあるリクライニング装置において、ヒンジ軸を回転操作すると、作動カムは弾発手段のバネ付勢力に抗してスライドポールの直交方向の他方側へ移動して、その対向端部の各嵌合凹所をスライドポールの各突起部に対向する部位に位置させる。この時点で、作動カムのスライドポールに対する押圧作用が解除され、スライドポールはその各突起部を作動カムの各嵌合凹所に嵌合させてラチェットから後退し、ラチェットに対する噛合状態を解除する。すなわち、スライドポールとラチェットは非噛合状態となる。
【手続補正１６】
【補正対象書類名】明細書
【補正対象項目名】００２２
【補正方法】変更
【補正の内容】
【００２２】
スライドポールとラチェットとの非噛合状態は、ヒンジ軸が回転操作されているとき維持され、両連結部材の相対回転が許容されてシートバックのシートクッションに対するロック状態が解除され、シートバックを前後方向へ回動してその傾斜角度を調整することができる。
【手続補正１７】
【補正対象書類名】明細書
【補正対象項目名】００２３
【補正方法】変更
【補正の内容】
【００２３】
なお、ヒンジ軸の回転操作を解除すると、ヒンジ軸は弾発手段のバネ付勢力により回転復帰して作動カムをスライドポールの直交方向の一方側へ移動させて、スライドポールの各突起部を作動カムの各嵌合凹所から平坦部へ乗り上げさせ、スライドポールを押圧してラチェットに噛合させるとともに、スライドポールに対する押圧状態を保持してスライドポールとラチェットとの噛合状態を保持する。
【手続補正１８】
【補正対象書類名】明細書
【補正対象項目名】００２４
【補正方法】変更
【補正の内容】
【００２４】
このように、この実施形態のリクライニング装置においては、作動カムがスライドポールに対して２箇所での押圧状態を保持することにより、スライドポールとラチェットの噛合状態を保持する。このため、この保持状態においては、リクライニング装置に負荷が作用しても、各連結部材およびスライドポール間のガタに起因するスライドポールの回動動作は解消され、１箇所での押圧保持状態に比較して、スライドポールとラチェットとの噛合強度が強化され、延いては装置の小型化を図ることができる。
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】変更
【補正の内容】
【００２６】
本発明の実施にあたっては、シートクッションの後部側面に固定される第１連結部材と、シートバックの下部側面に固定されて前記第１連結部材に同軸的に相対回転可能に嵌合される第２連結部材と、前記両連結部材の中心に相対回転可能に支持されたヒンジ軸と、前記両連結部材の一方の連結部材の内面に前記ヒンジ軸の半径方向に形成した一対の第１のガイド溝に摺動可能に案内されて他方の連結部材の内面に前記ヒンジ軸と同心的に形成した円形のラチェットに係脱される一対のスライドポールと、前記一方の連結部材の内面に前記第１のガイド溝に直交して形成した第２のガイド溝に摺動可能に案内されて前記両スライドポールの内端に係合し、前記ヒンジ軸の回転により前記第２のガイド溝に沿って摺動して前記両スライドポールを前記ラチェットに係脱させる作動カムと、前記両スライドポールが前記ラチェットに係合した状態に保持されるように前記作動カムをバネ付勢する弾発手段とを備えたリクライニング装置を提供するのが望ましい。この実施形態においては、両スライドポールを１つの作動カムでスライド動作させて同時にラチェットに噛合させ、両連結部材を強固なロック状態とすることができる。
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】変更
【補正の内容】
【００３３】
なお、本発明の実施にあたっては、前記両連結部材の内面に周方向にて互いに係合して同連結部材の相対回転を規制する規制手段を設けることが望ましい。この実施形態においては、両連結部材の相対回転の回転範囲を規制でき、特別の部材を用いることなく、リクライニング装置のリクライニング動作範囲を所定の範囲に規制することができて、当該リクライニング装置の小型化を図ることができる。
【手続補正２８】
【補正対象書類名】明細書
【補正対象項目名】００４５
【補正方法】変更
【補正の内容】
【００４５】
この状態で、図１に示すように、第１連結アーム１１を上側取付部材１９ａを介して第２連結アーム１２に回動可能に取付け、かつ、第２連結アーム１２を下側取付部材１９ｂを介して第１連結アーム１１に回動可能に取付け、各支持孔１１ｃ、１２ｃおよび作動カム１５の長孔１５ａにヒンジ軸１７を挿通して支持する。ヒンジ軸１７は、その係合爪１７ａを作動カム１５の係合孔１５ｄに係合させることにより、作動カム１５に連結する。
【手続補正２９】
【補正対象書類名】明細書
【補正対象項目名】００７３
【補正方法】変更
【補正の内容】
【００７３】
各スライドポール３３，３４の作動カム３５に対する対向面側には、両突起部３３ａ間、両突起部３４ａ間に係合凹所３３ｂ，３４ｂが形成されており、一方、作動カム３５の両嵌合凹所３５ａ間、両嵌合凹所３５ｂ間に係合突起部３５ｃ，３５ｄが形成されている。作動カム３５の各係合突起部３５ｃ，３５ｄは、作動カム３５が図１２（ａ）に示す非作動の状態では各スライドポール３３，３４の係合凹所３３ｂ，３４ｂとは非係合状態にあって、各スライドポール３３，３４を第２円盤状連結部材３２のラチェット３２ｂに噛合させており、図示右方へ移動することにより、各スライドポール３３，３４の係合凹所３３ｂ，３４ｂに漸次係合して、同図（ｂ）に示すように、各スライドポール３３，３４を引き戻してラチェット３２ｂから離間させる。